(57)【要約】【課題】夜間の安全のために使用する安全チョッキである。【解決手段】複数個の発光ダイオード５ａ〜５ｄ，６ａ〜６ｄと太陽光パネル４及び電池９を備え、前記複数個の発光ダイオードを点滅可能であると共に、それらの発光ダイオードのうち少なくとも１個を照明用発光ダイオード５ｂとする。【選択図】図１
2013104137.tif 000002
【特許請求の範囲】
【請求項１】
複数個の発光ダイオードと太陽光パネル及び電池を備える安全チョッキであって、
前記太陽光パネルを前身頃に取付けることを特徴とする安全チョッキ。
【請求項２】
請求項１の安全チョッキであって、
複数個の発光ダイオードを点滅可能であると共に、それらの発光ダイオードのうち少なくとも１個を照明用発光ダイオードとして用いることを特徴とする安全チョッキ。
【請求項３】
請求項１又は請求項２の安全チョッキであって、
照明用発光ダイオードを点灯するときには、その他の発光ダイオードを消灯することを特徴とする安全チョッキ。
【請求項４】
請求項３の安全チョッキであって、
照明用発光ダイオードに流れる電流を、点滅時に流れる電流より多くすることを特徴とする安全チョッキ。
【発明の詳細な説明】
【技術分野】
【０００１】
本願発明は、警察官等が交通整理、検問等に当たって、夜間の安全のために使用する安全チョッキに関する。
【背景技術】
【０００２】
従来、検問等を行う警察官が、自身の存在を自動車運転手に知らせるために安全チョッキを着用している。
この安全チョッキの例として、特許文献１に開示してある。この公報には、安全チョッキの前身頃に、白色を発する第１の発光ダイオードと赤色等を発する第２の発光ダイオードの組み合わせが、複数箇所に配置してある。
そして、第１の発光ダイオードは免許証等を見るためのもので、第２の発光ダイオードは点滅動作して、安全確保を図っている。
【０００３】
【特許文献１】特開２００６−１７６８９３号公報
【発明の概要】
【発明が解決しようとする課題】
【０００４】
前記従来の安全チョッキにおいて、第１の発光ダイオードと第２の発光ダイオードを備えなければならない。そこで、本願発明は発光ダイオードの数を少なくして、免許証等を見る場合と点滅して安全を確保することを目的とするものである。
【課題を解決するための手段】
【０００５】
請求項１の安全チョッキは、複数個の発光ダイオードと太陽光パネル及び電池を備えていて、太陽光パネルを前身頃に取付ける。
また、請求項２の安全チョッキは、複数個の発光ダイオードを点滅可能であると共に、それらの発光ダイオードのうち少なくとも１個を照明用発光ダイオードとして用いる。
また、請求項３の安全チョッキは、照明用発光ダイオードを点灯するときには、その他の発光ダイオードを消灯する。
また、請求項４の安全チョッキは、照明用発光ダイオードに流れる電流を、点滅時に流れる電流より多くする。
【発明の効果】
【０００６】
本願の安全チョッキは、前身頃に取付けの太陽光パネルによって電池を充電させるので、簡便に電池の充電ができる。また、複数個の発光ダイオードを備えていて、そのうち照明用発光ダイオードとして使用するので、区別して取付ける必要がない。また、照明用発光ダイオードを点灯のとき、他の発光ダイオードを消灯するので消費電力の減少を図ることができるし、照明用発光ダイオードの点灯時には多くの電流を流して照明度をあげる。
【図面の簡単な説明】
【０００７】
【図１】安全チョッキの正面図である。
【図２】安全チョッキの前身頃をめくったときの電池の取付け図である。
【図３】太陽光パネルと電池と発光ダイオードの回路図である。
【発明を実施するための形態】
【０００８】
本願発明の一実施の形態を図を参照して説明する。図１は安全チョッキの正面図であり、第２図は安全チョッキの前身頃をめくった状態の図である。また、図３は発光ダイオードの回路ブロック図である。
【０００９】
身に纏う安全チョッキ１はメッシュ生地等で製作されていて、左右の前身頃２，３と後身頃８を逢着等により構成されている。
そして、胴回りにはベルト２０が備えてあり、面状ファスナー等で衣服の上半身に着用するように構成してある。
【００１０】
前記左右の前身頃２，３には、それぞれ４個の白色光を発する発光ダイオード（ＬＥＤ）５ａ〜５ｄ，６ａ〜６ｄが取り付けてある。なお、前記８個の発光ダイオードの内、左前身頃２の下から２個目の発光ダイオード５ｂは、後記で詳述するが他の発光ダイオード（５ａ、５ｃ〜５ｄ、６ａ〜６ｄ）と区別して、照明用発光ダイオードとする。また、この照明用発光ダイオード５ｂは、やや、下方向に発光できるように傾斜して取り付けてある。
また、前記８個の発光ダイオードは、全て同じ規格のものであっても良いし、照明用発光ダイオード５ｂだけが、高照度を発するような仕様であってもよい。
【００１１】
また、前記左右の前身頃２，３の側部には、特に夜間において、安全のために、光を反射して黄色等を反射する反射材１５，１７が取り付けてあると共に、胴回りのベルトの上下７ａ、７ｂ、１８にも反射材が取り付けてある。尚、後身頃８にも反射材を取り付けるのが安全において望ましい。
【００１２】
前記左右の前身頃２，３の前記発光ダイオード５ａ〜５ｄ、６ａ〜６ｄの上側には、太陽パネル４が取り付けてある。この太陽パネル４は、よく知られているように、光線を受光すると起電力を発するものであるので、昼間、着用して太陽にさらすことによって電力を得ることができる。また、前記右前身頃３の下側には、前記太陽パネルからの起電力を充電する電池９が取り付けてある。
【００１３】
次に、図３は前記太陽光パネル４、電池９、発光ダイオード（５ａ〜５ｄ、６ａ〜６ｄ）の回路ブロック図である。
太陽光パネル４によって生じた電気は、安全回路を経て電池に接続されていて、この安全回路は電池９が充満されたときには太陽光パネル４からの起電力を切断し、充電可能なときには接続して充電する。
また、前記電池９は、点滅回路（フリップフロップ等で構成）に接続されていて、その点滅回路はスイッチを経て、各発光ダイオードに接続されているが、照明用発光ダイオード５ｂは、前記点滅回路の他、電池９に接続の昇圧回路を介して接続可能になっている。
【００１４】
前記スイッチは連動３回路３接点であり、発光ダイオード５ａ、５ｃ〜５ｄ，６ａ〜６ｄ用の点滅回路と照明用発光ダイオード５ｂ用の点滅回路と昇圧回路に対応する。
そして、スイッチがＡ状態のときは「ＯＦＦ」であり、全ての発光ダイオード（５ａ〜５ｄ、６ａ〜６ｄ）は点灯しない。
次に、スイッチがＢ状態のときには、８個の発光ダイオード（５ａ〜５ｄ、６ａ〜６ｄ）が点滅回路を経て接続され、各発光ダイオード（５ａ〜５ｄ、６ａ〜６ｄ）は点滅して、存在を知らせる。
次に、スイッチがＣ状態のときには、７個の発光ダイオード（５ａ、５ｃ〜５ｄ、６ａ〜６ｄ）を消灯し、照明用発光ダイオード５ｂだけを昇圧回路を経て点灯させる。この昇圧回路によって、発光ダイオード５ｂには点滅時より多くの電流が流れて、照度を高めるため、免許証等を照射してもよく見えるし、他の発光ダイオードを消灯しているので、電池の消費量の減少を図ることができる。なお、この照明用発光ダイオード５ｂの規格は、前記昇圧回路による電圧に耐え得るものであることはいうまでもない。
【００１５】
尚、前記Ｃ状態では１個の照明用発光ダイオードだけが点灯する方式であるが、Ｃ状態において、照明用発光ダイオード５ｂを点灯すると共に、他の７個の発光ダイオード（５ａ、５ｃ〜５ｄ、６ａ〜６ｄ）を点滅するように構成してもよい。
また、前記７個の点滅する発光ダイオード（５ａ、５ｃ〜５ｄ、６ａ〜６ｄ）は、白色の他、赤色を発するのが交通安全上好ましい。また、照明用発光ダイオードとその他の点滅用発光ダイオードの数は、適宜選択すると共に、背中に点滅用発光ダイオードを付設してもよい。
また、発光ダイオードは点滅するように構成してあるが、全ての発光ダイオードを点灯するように構成してもよい。
以上のように、安全チョッキに取付けてある複数個の発光ダイオードを点滅、点灯するか等は、目的にあわせて、点灯方式及び、その点灯、消灯あるいは点滅する発光ダイオードの数を選択する。
【符号の説明】
【００１６】
２  前身頃
３  前身頃
４  太陽パネル
５ａ〜５ｄ  発光ダイオード（ＬＥＤ）
６ａ〜６ｄ  発光ダイオード（ＬＥＤ）
５ｂ  照明用発光ダイオード
９  電池
【図１】
2013104137.tif 000003
【図２】
2013104137.tif 000004
【図３】
2013104137.tif 000005